(57)【要約】【課題】手動操作のフィルタターレットにおいてクリック操作感を向上させ（回転方向によるトルク差をなくし）、省スペースを実現する。【解決手段】フィルタを回転する時に一緒に回る部材の一部に、ターレットに配置しているフィルタと同数の平面切欠きを設け、その切欠きに付勢力のあるシート状の部材を押し付けて、フィルタが光軸に来る際にクリック感が得られるように平面切欠きとシート状部材を配置した。【選択図】        図１
2004294854.tif 000002
【特許請求の範囲】
【請求項１】
様々なフィルタを配置したフィルタターレットを操作する際、フィルタが光軸に来た時にクリック感を得られるようなフィルタターレットを有する光学系において、回転体の一部にフィルタと同じ数の平面切欠き部を設け、その切欠き部に付勢力のあるシート状の部材を押し付けてクリック感を出せるようにしたことを特徴とする色分解光学系。
【発明の詳細な説明】
【０００１】
【発明の属する技術分野】
本発明は色分解光学系の手動フィルタターレット部のクリック機構に関するものである。
【０００２】
【従来の技術】
一般にカラーＴＶカメラでは、被写体からの光を色分解光学系で赤色・緑色・青色の三色の成分に分解し、その分解した色成分をそれぞれＣＣＤなどの撮像素子で電気信号に変換してカラーＴＶ映像を作り出しており、撮影条件の変化に応じて、ＮＤフィルタや色温度変換フィルタを変えて用いている。この際、殆どのＴＶカメラではいろいろな種類のフィルタを配置した回転板（フィルタターレット）の中から所望するフィルタを選択することが可能になっており、その多くは撮影者が直接手を使ってフィルタを選択する手動タイプである。
【０００３】
図５はこのような従来の色分解光学系の手動タイプのフィルタターレット部を示す側面図で、図６はフィルタターレットが回転するまでのギアトレインの様子を、図７はフィルタターレット部の平面的なギアの繋がりを示している。
【０００４】
図において、１は操作者が直接回転操作するフィルタターレットつまみで、両端を本体２と軸受板３で支えられ、その中間にギア１ａを有している。このギア１ａは中心部を軸４で回動可能に支えられたアイドルギア５と噛み合っており、更にこのギア５は、中心部を軸７で回動可能に支えられたフィルタターレット６のギア部６ａと噛み合っている。従って操作者がフィルタターレットつまみ１に回転力を与えると、ギア１ａ〜５〜６ａと力が伝達され、フィルタターレットを回転することができる。
【０００５】
ところで、フィルタターレットの手動回転においては、所望するフィルタが光軸に来たことを簡単に認識できるようフィルタターレット６の外周の一部に窪み６ｂを設け、その窪み６ｂにクリックコロ９を配置してクリックばね８で押し付けることにより、クリック機構を構成している。
【０００６】
【発明が解決しようとする課題】
上記のようなフィルタターレット部において、クリックばね８を板ばねで構成しているため、後で説明するように、右回転時と左回転時のトルクに差が生じ、操作感を損なうことがあった。では、トルク差が生じる理由を考えてみる。
【０００７】
図８はクリックばね８を片持ち梁に見立て、Ｘ−Ｙ座標軸を設定した図である。
【０００８】
図９はクリックコロ９とフィルタターレット６の窪み部６ｂを押し付けた図で、回転方向の違いによらず、クリックばね８は予圧を受けることにより最初の座標軸Ｘ−Ｙと角度αだけ傾いてしまう。この状態で図１０（ａ）のようにフィルタターレット６が反時計方向に回ろうする時、窪み６ｂとフィルタターレット６の外周が交わる点とクリックコロ９との間には静的にＦなるコロを持ち上げる力が働き、この時のＹ成分Ｑが梁（板ばね）を撓ませる力に、Ｘ成分Ｒと接点までの距離（腕の長さ：Ｌと表わす）の積がフィルタターレットの回転トルクＴに相当する。
【０００９】
なお、力Ｑは傾いた板ばねの座標系に換算する必要があるので、それぞれの力は以下のように表わせる。
【００１０】
Ｑ＝Ｆ・ｃｏｓψ
Ｒ＝Ｆ・ｓｉｎψ
Ｐ＝Ｑ・ｃｏｓ（α＋θ）
Ｔ＝Ｒ・Ｌ
∴  ＴＣＣＷ＝Ｐ・Ｌ・ｔａｎψ／ｃｏｓ（α＋θ）  ・・・  ▲１▼
同様に、図１０（ａ）のようにフィルタターレットが時計方向に回転する場合には、ＴＣＷ＝Ｐ・Ｌ・ｔａｎψ／ｃｏｓ（α−θ）・・・▲２▼を得る。α、θは０からπ／２の範囲にあるので、▲１▼▲２▼式よりＴＣＣＷ＞ＴＣＷは明らかで、これが正転・逆転でフィルタターレットのトルクに差が生じる理由である。ここに、Ｐは板ばねの厚さ・幅・長さ・縦弾性係数・撓み量の関数である。
【００１１】
また、板ばねとコロを用いたクリックではそれを平面上（図７）に配置するスペースが必要で、小型軽量化する際の妨げともなっている。
【００１２】
【課題を解決するための手段】
前記問題点を解決するために、本提案ではクリック構成を板ばねとコロではなく、回転体（例えばフィルタターレットつまみ）の一部にフィルタ数と同じ数の平面部を設け、その平面にシート状の材料（例えばゴムとか樹脂フィルム）を押し付けることによりクリック構造を実現したもので、この構造にすれば、フィルタターレットつまみを時計・反時計方向に回した時のトルク差が無く、操作感の向上が図れる上、回転体の一部と使っていない空間を利用するので、小型軽量化も実現できる。
【００１３】
【発明の実施の形態】
（実施例）
図１は本提案の実施例の概要を示したもので、図２、図３は図１のクリック部分を拡大した図で、それぞれクリックに入った状態とクリックを出た状態を表わしている。図２は従来例の図６に相当し、フィルタターレットつまみに回転力が加えられてからフィルタターレットが回転するまでのギアトレインを表わしている。（図１では、従来例と同じ部品には同じ番号を振り当てる）
図１において、操作者がフィルタターレットつまみ１１に回転力を与えると、従来例と同様、フィルタターレットつまみ１１の中間に設けたギア１１ａ〜アイドルギア５〜フィルタターレットギア６ａと力が伝達され、結果フィルタターレットを回転することができる。この際、フィルタターレットつまみ１１の一部にフィルタ数と同じ数の平面切欠き１１ｂを設けてあり、その切欠き１１ｂには板状のゴムや樹脂フィルム１２を自由長よりやや伸びた長さで押し付けている。そのゴム１２は軸受板１３に固定された数本の軸１４に巻き付けられ、フィルタターレットつまみ１１を回転しても動かないよう固定されている。また、切欠き１１ｂはフィルタが光軸上に来る時にゴム１２と平行に設けられ、従って、フィルタターレットつまみ１１を回転してクリックから出始めると、隣り合う切欠きが成す頂点がゴム１２をさらに伸ばすことになり、隣のフィルタが光軸に近づくとその伸びたゴムが縮もうとして切欠きを押し付けるため、フィルタが光軸に来た時にクリック感を得ることが出来る。
【００１４】
【発明の効果】
上述したように、本提案のフィルタターレットのクリック構造では、板ばねを使わずに、回転体の一部に設けた平面切欠き部にゴム等のシート状の材料を押し付けることによりクリック構造を実現しているため、操作者の回転トルクに差が生じないので操作感を高めることが出来、また空きスペースを利用してクリック部材を配置することができ、それだけ小型軽量化を実現することが出来る。
【図面の簡単な説明】
【図１】本提案の実施例の概要を示したもの
【図２】クリック部分の拡大図
【図３】クリック部分の拡大図
【図４】ギアトレインを示した断面図
【図５】従来の色分解光学系の側面図
【図６】従来光学系のフィルタターレット迄に繋がるギアトレインを示した図
【図７】従来光学系のフィルタターレットのギアの繋がりを表わした詳細図
【図８】従来例のクリック部において、板ばねを単純梁に見立てた時の座標系を表わした図
【図９】フィルタターレットに板ばね押し付けられている状態の模式図
【図１０】クリックコロがフィルタターレットに持ち上げられようとする際の静的力の関係を表わした図
【符号の説明】
１  フィルタターレットつまみ
２  本体
３  軸受板
４  軸
５  アイドルギア
６  フィルタターレット
７  軸
８  クリックばね
９  クリックコロ
１１  フィルタターレットつまみ
１２  ゴム
１３  軸受板
１４  軸
【図１】
2004294854.tif 000003
【図２】
2004294854.tif 000004
【図３】
2004294854.tif 000005
【図４】
2004294854.tif 000006
【図５】
2004294854.tif 000007
【図６】
2004294854.tif 000008
【図７】
2004294854.tif 000009
【図８】
2004294854.tif 000010
【図９】
2004294854.tif 000011
【図１０】
2004294854.tif 000012